(57)【要約】【課題】足裏の筋力と足指のグリップ力を向上させて所謂「幽霊指」を解消し、本来の足の形状と本来の歩行動作を実現して足本来の機能を取り戻すことができるフットパッドを提供すること。【解決手段】ヒトの足裏を足指に連なる爪先後部付近から踵前部付近にわたって支持する土台部と、該土台部の上面に、土台部と一体になって形成された隆起部とを備えてなる、柔軟な樹脂体で形成したフットパッドにおいて、前記隆起部をフットパッドの後端部中央もしくは後部中央から前記土台部の前後方向の中心線より足裏内側寄りに傾いた形状に親指と人差し指との間辺りに向けて配置させてなる、フットパッド。【選択図】図１
2013162831.tif 000002
【特許請求の範囲】
【請求項１】
硬度５乃至２０の透明エラストマー材からなるフットパッドであって、
ヒトの足裏を足指に連なる爪先後部付近から踵前部付近にわたって支持する土台部と、
該土台部の上面に、土台部と一体になって形成された隆起部とを備えてなり、
該土台部は０．１ｍｍ乃至２．８ｍｍの高さを有するとともに、該隆起部は３ｍｍ乃至１５ｍｍの高さを有するものであり、そして
前記隆起部は幾つかの点状盛り部が間隔を置いて一列に並ぶ形態をなし、
該幾つかの点状盛り部は、フットパッドの後端部中央もしくは後部中央から、前記土台部の前後方向の中心線より足裏内側寄りに傾いた直線状若しくは湾曲した曲線状に並び、そして、親指と人差し指との間辺りに向けて配置されていることを特徴とする、
足指のグリップ力を改良するためのフットパッド。
【請求項２】
前記幾つかの点状盛り部は、フットパッド前側の先頭の点状盛り部とこれに続く次の点状盛り部との間隔が、該次の点状盛り部とその他の点状盛り部との間隔及びその他の点状盛り部同士の間隔よりも狭いものとなっていることを特徴とする、請求項１記載のフットパッド。
【請求項３】
前記隆起部は、５乃至１２個の点状盛り部が間隔を置いて一列に並ぶ形態をなし、そして該点状盛り部の高さは、フットパッド前側の先頭の点状盛り部からフットパッド後側の後尾の点状盛り部まで順に低くなっていることを特徴とする、請求項１記載のフットパッド。
【請求項４】
前記土台部は１ｍｍ乃至２ｍｍの高さを有するとともに、前記隆起部は３ｍｍ乃至１０ｍｍの高さを有するものである、請求項１記載のフットパッド。
【請求項５】
前記フットパッドは、硬度１０乃至１５の透明エラストマー材からなる、請求項１記載のフットパッド。
【請求項６】
前記幾つかの点状盛り部は、ハート形状、略半球形状、半楕円球形状、又は花柄形状をなす、請求項１記載のフットパッド。
【請求項７】
硬度５乃至２０の透明エラストマー材からなるフットパッドであって、
ヒトの足裏を足指に連なる爪先後部付近から踵前部付近にわたって支持する土台部と、
該土台部の上面に、土台部と一体になって形成された隆起部とを備えてなり、
該土台部は０．１ｍｍ乃至２．８ｍｍの高さを有するとともに、該隆起部は３ｍｍ乃至１５ｍｍの高さを有するものであり、そして
前記隆起部は堆くそして長く伸びた一の盛り上がり部をなし、
該一の盛り上がり部は、フットパッドの後端部中央もしくは後部中央から、前記土台部の前後方向の中心線より足裏内側寄りに傾いた直線状若しくは湾曲した曲線状に並び、そして、親指と人差し指との間辺りに向けて配置されていることを特徴とする、
足指のグリップ力を改良するためのフットパッド。
【請求項８】
前記隆起部は、堆くそして長く伸びた一の盛り上がり部をなし、そして、該一の盛り上がり部の高さは、フットパッド前側の前端部からフットパッド後側の後端部まで順に低くなっていることを特徴とする、請求項７記載のフットパッド。
【請求項９】
前記隆起部は、略弓形状の横断面を有する、請求項７記載のフットパッド。
【請求項１０】
前記隆起部は、その前端より少し後方の左側部位及び右側部位の双方又はそれら部位の何
れか一方にくびれ部を有する、請求項７記載のフットパッド。
【請求項１１】
前記土台部は１ｍｍ乃至２ｍｍの高さを有するとともに、前記隆起部は３ｍｍ乃至１０ｍｍの高さを有するものである、請求項７記載のフットパッド。
【請求項１２】
前記フットパッドは、硬度１０乃至１５の透明エラストマー材からなる、請求項１記載のフットパッド。
【発明の詳細な説明】
【技術分野】
【０００１】
本発明は、足指のグリップ力を改良するためのフットパッドであって、足裏、指の筋肉やグリップ力を鍛え、楽で且つ美しい歩行を達成するためのフットパッドに関する。
【背景技術】
【０００２】
近年、生活習慣の変化に伴い、靴を履いている時間が増え、特に、ハイヒールやパンプスなどの先細の靴やサンダルあるいはミュールといった歩行姿勢が不安定となるような靴を頻繁に履用していると、内反小趾や外反小趾、ハンマートゥといった様々な足のトラブルを患う人が増加している。
特に現代人は、歩行時に９割を超える人が足の親指に重心を上手くかけて歩くことができず、立っている状態で指が地面に付いていない状態、所謂「幽霊指」と言われる症状を有しているとも言われている。この「幽霊指」は足裏の筋力の衰えによって足の縦方向のアーチと横方向のアーチが崩れることが原因とされ、着地時の衝撃が十分に吸収できず、また足指のグリップ力が大きく衰えた状態にあり、その立ち姿や歩行姿勢は年老いて見えるだけでなく、腰への負担が増大し、ひいては肩こりや肥満の遠因にもなるとされている。
【発明の概要】
【発明が解決しようとする課題】
【０００３】
本発明は、足裏の筋力と足指のグリップ力を向上させて所謂「幽霊指」を解消し、本来あるべき縦横の足のアーチ形状とそのアーチ形状を利用した本来の歩行動作を実現し、足本来の機能である衝撃吸収と推進力を取り戻すことができるフットパッドを提供することを課題とする。
【課題を解決するための手段】
【０００４】
本発明者は鋭意工夫した結果、ヒトの足裏を足指に連なる爪先後部付近から踵前部付近にわたって支持する土台部と、該土台部の上面に、土台部と一体になって形成された隆起部とを備えてなる、柔軟な樹脂体で形成したフットパッドにおいて、前記隆起部をフットパッドの後端部中央もしくは後部中央から前記土台部の前後方向の中心線より足裏内側寄りに傾いた形状に親指と人差し指との間辺りに向けて配設することにより、該フットパッドを使用した際に足指でしっかり蹴り出す歩行を実現できることを見出し、本発明を完成させた。
【０００５】
即ち、本発明は、硬度５乃至２０の透明エラストマー材からなるフットパッドであって、
ヒトの足裏を足指に連なる爪先後部付近から踵前部付近にわたって支持する土台部と、
該土台部の上面に、土台部と一体になって形成された隆起部とを備えてなり、
該土台部は０．１ｍｍ乃至２．８ｍｍの高さを有するとともに、該隆起部は３ｍｍ乃至１５ｍｍの高さを有するものであり、そして
前記隆起部は幾つかの点状盛り部が間隔を置いて一列に並ぶ形態をなし、
該幾つかの点状盛り部は、フットパッドの後端部中央もしくは後部中央から、前記土台部の前後方向の中心線より足裏内側寄りに傾いた直線状若しくは湾曲した曲線状に並び、そして、親指と人差し指との間辺りに向けて配置されていることを特徴とする、
足指のグリップ力を改良するためのフットパッドに関する。
【０００６】
上記フットパッドにおいて、前記幾つかの点状盛り部は、フットパッド前側の先頭の点状盛り部とこれに続く次の点状盛り部との間隔が、該次の点状盛り部とその他の点状盛り
部との間隔及びその他の点状盛り部同士の間隔よりも狭いものとなっていることが好ましい。
また、前記隆起部は、５乃至１２個の点状盛り部が間隔を置いて一列に並ぶ形態をなし、そして該点状盛り部の高さは、フットパッド前側の先頭の点状盛り部からフットパッド後側の後尾の点状盛り部まで順に低くなっていることが好ましい。
さらに、前記土台部は高さが１ｍｍ乃至２ｍｍであり、前記隆起部はの高さが３ｍｍ乃至１０ｍｍであることが好ましい。
特に前記フットパッドは、硬度１０乃至１５の透明エラストマー材からなるものであることが好ましい。
また前記幾つかの点状盛り部は、ハート形状、略半球形状、半楕円球形状、又は花柄形状とすることができる。
【０００７】
さらに本発明は、硬度５乃至２０の透明エラストマー材からなるフットパッドであって、
ヒトの足裏を足指に連なる爪先後部付近から踵前部付近にわたって支持する土台部と、
該土台部の上面に、土台部と一体になって形成された隆起部とを備えてなり、
該土台部は０．１ｍｍ乃至２．８ｍｍの高さを有するとともに、該隆起部は３ｍｍ乃至１５ｍｍの高さを有するものであり、そして
前記隆起部は堆くそして長く伸びた一の盛り上がり部をなし、
該一の盛り上がり部は、フットパッドの後端部中央もしくは後部中央から、前記土台部の前後方向の中心線より足裏内側寄りに傾いた直線状若しくは湾曲した曲線状に並び、そして、親指と人差し指との間辺りに向けて配置されていることを特徴とする、
足指のグリップ力を改良するためのフットパッドにも関する。
【０００８】
上記フットパッドにおいて、前記隆起部は、堆くそして長く伸びた一の盛り上がり部をなし、そして、該一の盛り上がり部の高さは、フットパッド前側の前端部からフットパッド後側の後端部まで順に低くなっていることが好ましい。
また前記隆起部は、略弓形状の横断面を有することが好ましく、また、前記隆起部は、その前端より少し後方の左側部位及び右側部位の双方又はそれら部位の何れか一方にくびれ部を有するものであることが好ましい。
さらに前記土台部は高さが１ｍｍ乃至２ｍｍであり、前記隆起部は高さが３ｍｍ乃至１０ｍｍであることが好ましい。
特に前記フットパッドは、硬度１０乃至１５の透明エラストマー材からなるものであることが好ましい。
【発明の効果】
【０００９】
本発明のフットパッドは、ヒトの足裏を足指に連なる爪先後部付近から踵前部付近にわたって支持する土台部と、該土台部の上面に、土台部と一体になって形成された隆起部とを備えてなる、柔軟な樹脂体で形成したフットパッドにおいて、前記隆起部をフットパッドの後端部中央もしくは後部中央から前記土台部の前後方向の中心線より足裏内側寄りに傾いた形状に親指と人差し指との間辺りに向けて配設するという特徴的な構成を採用することにより、本来の足の形状、すなわち、足を長さ方向（縦方向）および幅方向（横方向）にわたって各々弓形に保持し、足部の長さ方向（縦方向）および幅方向（横方向）のアーチ形状を保持することが可能になる。そして上述の構成を採用することにより、足指につながる中足骨が歩行の際に前記隆起部を無意識に握る動作を為すことを促し、これにより、本来の歩行時の動作、すなわち、親指と４本の指を引き寄せ、「握る」ような動作をしながら歩くことが可能となる。
【００１０】
また本発明のフットパッドは、前述したように足指につながる中足骨が前記隆起部を無意識に握る動作を為すことを促すことから、該フットパッドを装着した靴（サンダル、ミ
ュール、パンプス等）を履くだけで、足の握る力を自然に増大させ、足指の運動と筋肉増強を実現し、さらに骨のアーチ形状を正常な形に整えることができるという効果の発現に寄与することができる。
【００１１】
そして本発明のフットパッドは本来の正しい歩行動作を促すことができることから、しっかり蹴り上げる正しく筋肉を使った歩行が実現でき、しかも大地をしっかりグリップして蹴り出すという筋肉を効率よく使った見た目にも美しい歩行を実現できる。
【図面の簡単な説明】
【００１２】
【図１】図１は、本発明の実施例１のフットパッドを示す図である。（Ｉ）は実施例１のフットパッドの正面図であり、（ＩＩ）は実施例１のフットパッドの断面図である。
【図２】図２は、本発明の実施例１のフットパッドを示す図である。（Ｉ）は実施例１のフットパッドの正面図であり、（ａ−ａ’）〜（ｉ−ｉ’）はそれぞれ（Ｉ）におけるａ−ａ’線〜ｉ−ｉ’線における断面図である。
【図３】図３は、本発明の実施例２のフットパッドを示す図である。（Ｉ）は実施例２のフットパッドの正面図であり、（ＩＩ）は実施例２のフットパッドの断面図であって、（ａ−ａ’）〜（ｉ−ｉ’）はそれぞれ（Ｉ）におけるａ−ａ’線〜ｉ−ｉ’線における断面図である。
【図４】図４は、本発明の実施例３のフットパッドを示す図である。（Ｉ）は実施例３のフットパッドの正面図であり、（ＩＩ）は実施例３のフットパッドの断面図であって、（ａ−ａ’）〜（ｆ−ｆ’）及び（ｉ−ｉ’）はそれぞれ（Ｉ）におけるａ−ａ’線〜ｆ−ｆ’線及びｉ−ｉ’線における断面図である。
【図５】図５は、本発明の実施例４のフットパッドを示す図である。（Ｉ）は実施例４のフットパッドの正面図であり、（ＩＩ）は実施例４のフットパッドの断面図であって、（ａ−ａ’）〜（ｄ−ｄ’）及び（ｉ−ｉ’）はそれぞれ（Ｉ）におけるａ−ａ’線〜ｄ−ｄ’線及びｉ−ｉ’線における断面図である。
【図６】図６は、本発明の実施例５のフットパッドを示す図である。（Ｉ）は実施例５のフットパッドの正面図であり、（ＩＩ）は実施例５のフットパッドの断面図であって、（ａ−ａ’）〜（ｄ−ｄ’）及び（ｉ−ｉ’）はそれぞれ（Ｉ）におけるａ−ａ’線〜ｄ−ｄ’線及びｉ−ｉ’線における断面図である。
【図７】図７は、本発明の実施例１のフットパッドを示す斜視図である。
【図８】図８は、本発明の実施例１のフットパッドをサンダルに装着したときの使用状態を示した図である。
【発明を実施するための形態】
【００１３】
以下、本発明を図面を参照してより具体的に説明する。
図１乃至図６に示される本発明のフットパッドは、図８に示すように靴、特にミュール、サンダル、パンプス等のヒール靴に装着される。なお、図１乃至図８に示すフットパッドは、いずれも右足用であり、左足用は左右対称に反転させた形状を有する。
【００１４】
本発明のフットパッドは、ヒトの足裏のうち指に連なる爪先後部付近から土踏まずを経て踵前部付近まで、例えば図１乃至図６及び図８に示すように足の骨格でいうところの第１中足骨ないし第５中足骨の骨頭に対応する部分から、楔状骨、立方骨、舟状骨を経て、距骨後端に対応する部分までの範囲を支持するものである。
なお、パッドの前部を足指にかかる程度にまで長くすると歩行の際の足指の動きによってパッドがずれたり、捲れあがってしまうため、少なくともパッドが足指にかからないように、例えば中足骨骨頭より後方に対応する部分の足裏を支持する構造のものとする必要がある。
フットパッド１は、柔軟なエラストマー、例えばＳＢＳ（スチレン−ブタジエン−スチレン  トリブロックコポリマー）、ＳＩＳ（スチレン−イソプレン−スチレン  トリブロ
ックコポリマー）等のスチレン系熱可塑性エラストマーから構成されるものである。フットパッド１の硬度は、フットパッド１に十分な柔軟性を与える観点から、硬度５乃至２０の範囲から、より好ましくは硬度１０乃至１５の範囲から選択される。硬度５未満ではパッドを装着した靴を履く際に足裏へのべたつきが感じられ、装用に適さず、また硬度２０以上では様々な足の形状に柔軟に適応させることが難しく、靴内に装着されたフットパッドに対して異物感、違和感を覚えるものとなる。この硬度は、以下に具体的に述べるようにＪＩＳ  Ｋ６２５３に準じてタイプＡ又はＥデュロメータにより測定される。また本発明のフットパッド１は、無色透明のエラストマーからなり、中底が丸見えになるミュール、サンダル等の靴に装着しても目立たず、該靴そのもののデザイン性を損なわないものであるが、その透明エラストマーの光透過率は、８０ないし９９％程度が好ましい。この透過率は、以下に具体的に述べるようにＪＩＳ  Ｋ７１０５に従い求められる。
【００１５】
図１乃至図４に示すように、フットパッド１は、ヒトの足裏のうち指に連なる爪先後部付近から土踏まずを経て踵前部付近まで、すなわち足の骨格でいうところの第１中足骨ないし第５中足骨の骨頭に対応する部分から距骨後端付近にわたって支持する土台部２と、該土台部２の上面に、土台部と一体になって形成された隆起部３とを備え、該隆起部３は、幾つかの点状盛り部３ａ〜３ｈ（図４においては３ａ〜３ｆ）が間隔６ａ〜６ｇを置いて一列に並ぶ形態を有する。
前記土台部２は、０．１ｍｍ乃至２．８ｍｍの高さを有し、好ましくは１ｍｍ乃至２ｍｍの高さを有する。土台部２の高さを０．１ｍｍより低くするとパッドの強度が弱くなり破れる可能性があり得、その高さを２．８ｍｍより高くすると靴の内部空間がかなり減少し、きつくなる等の履き心地が悪くなる原因になる。
【００１６】
前記隆起部３（点状盛り部又は一の盛り上がり部）は、３ｍｍ乃至１５ｍｍの高さを有し、好ましくは３ｍｍ乃至１０ｍｍの高さを有する。ここで隆起部３の高さとは、土台部２の上面からの高さを言い、例えば図２のａ−ａ’線の断面図  図２（ａ−ａ’）において符号ａ２で示される部位を指す。隆起部３の高さを３ｍｍより低くすると、足部を長さ方向および幅方向にわたって各々弓形に保持する効果が薄れると共に、中足骨が該隆起部を握る力を弱め、「握る行為をしながら歩く」という効果が得られにくくなる。また、該隆起部３の高さを１５ｍｍより高くすると、足裏への圧迫が増加して痛みを生じる虞があるとともに、靴の内部空間がかなり減少し、きつくなる等の履き心地が悪くなる原因になる。
【００１７】
図１乃至図４に示すように、該隆起部３を構成する点状盛り部３ａ〜３ｈ（図４においては３ａ〜３ｆ）は、フットパッド１の後端部４中央もしくは後部５中央から、前記土台部２の前後方向の中心線より足裏内側寄りに傾いた直線状若しくは湾曲した曲線状に、親指と人差し指との間辺りに向けて配置されてなる。
ここで傾いた直線状とは、右足用のフットパッドにおいては、前記土台部２の前後方向の中心線より左側に傾いた直線状、フットパッド１の後端部４中央もしくは後部５中央から親指と人差し指との間辺りに向けて２本の直線の組み合わせ（逆くの字状）た形状、又は複数本の直線を組み合わせた形状（複数の角を有する直線状、謂わば多角形の連続する幾つかの複数辺の形状を示すような直線の集合）など、様々で有り得る。
湾曲した曲線状とは、右足用のフットパッドにおいては、例えば図１（Ｉ）及び図２（Ｉ）に示すように前記土台部２の前後方向の中心線より足裏外側に向かって凸となるような曲線状であり得る。
点状盛り部は、上述の傾いた直線状又は湾曲した曲線状に配置され得るが、そしてこれら直線状と曲線状の組み合わせの線状に配置されていてもよい。
【００１８】
また、例えば図１及び図２に示すように、幾つかの点状盛り部３ａ〜３ｈは、フットパッド前側の先頭の点状盛り部３ａとこれに続く次の点状盛り部３ｂとの間隔６ａが、該次
の点状盛り部３ｂとその他の点状盛り部３ｃ〜３ｈとの間隔６ｂ及びその他の点状盛り部３ｃ〜３ｈ同士の間隔６ｃ〜６ｇよりも狭いものとすることができる。
このとき、上記間隔６ａ及び６ｂ〜６ｇは、フットパッドに配設する点状盛り部の個数によっても異なるが、例えば間隔６ａは０．１ｍｍ〜５ｍｍ、また間隔６ｂ〜６ｇは１ｍｍ〜１０ｍｍ（但し６ａ＜６ｂ〜６ｇ）とすることができる。
また幾つかの点状盛り部は、フットパッド前側の先頭の点状盛り部３ａからフットパッド後ろ側の後尾の点状盛り部３ｈに向かって、その高さが順に低くなっているように形成され得る。ここで点状盛り部の高さとは、前述の「隆起部３の高さ」と同じ意味を表し、すなわち、土台部２の上面からの点状盛り部３ａ〜３ｈの高さを言い、例えば図２のａ−ａ’線の断面図  図２（ａ−ａ’）において符号ａ２で示される部位を指す。
例えば図２（ａ−ａ’）〜（ｈ−ｈ’）に示すように、符号ａ２〜ｈ２で表される点状盛り部３ａ〜３ｈの高さは、ａ２から順にｈ２にかけて低くなるように形成され得る。
【００１９】
幾つかの点状盛り部は、図１及び図２に示すようにハート形状、図３に示すように略半球形状、図４に示すように半楕円球形状、又は花柄形状などの形状を有することができ、またこれら２つ以上の形状を組み合わせることもできる。その縦断面の最大長は、フットパッドに配設する点状盛り部の個数によっても異なるが、例えば３ｍｍ〜３０ｍｍの間とすることができる。
また幾つかの点状盛り部は、フットパッド前側の先頭の点状盛り部３ａからフットパッド後ろ側の後尾の点状盛り部３ｈに向かって、その大きさ、すなわち縦断面の最大長が概ね順に小さく（短く）なるように形成され得る。
例えば図１及び図２（特に（ａ−ａ’）〜（ｈ−ｈ’）参照）に示すように、点状盛り部３ａから３ｈにかけて、徐々にその大きさが小さくなるように形成され得る。
【００２０】
さらに点状盛り部の横断面は、図１及び図２に示すように略四角状、図３に示すように略半円状、図４に示すように略半楕円状など、様々であってよい。
【００２１】
また図５及び図６示すように、フットパッド１は、ヒトの足裏のうち指に連なる爪先後部付近から土踏まずを経て踵前部付近まで、すなわち足の骨格でいうところの第１中足骨ないし第５中足骨の骨頭に対応する部分から距骨後端付近にわたって支持する土台部２と、該土台部２の上面に、土台部と一体になって形成された隆起部３とを備え、該隆起部３は、堆くそして長く伸びた一の盛り上がり部をなす形態を有する。
前記土台部２並びに隆起部３の高さは、前述したとおりである。
【００２２】
図５及び図６に示すように、該隆起部３を構成する一の盛り上がり部は、フットパッド１の後端部４中央もしくは後部５中央から、前記土台部２の前後方向の中心線より足裏内側寄りに傾いた直線状若しくは湾曲した曲線状に、親指と人差し指との間辺りに向けて配置されてなる。
ここで傾いた直線状とは、右足用のフットパッドにおいては、前記土台部２の前後方向の中心線より左側に傾いた直線状、フットパッド１の後端部４中央もしくは後部５中央から親指と人差し指との間辺りに向けて２本の直線の組み合わせ（逆くの字状）た形状、又は複数本の直線を組み合わせた形状（複数の角を有する直線状、謂わば多角形の連続する幾つかの複数辺の形状を示すような直線の集合）など、様々で有り得る。
湾曲した曲線状とは、右足用のフットパッドにおいては、例えば図５（Ｉ）に示すように前記土台部２の前後方向の中心線より足裏外側に向かって凸となるような曲線状であり得る。
一の盛り上がり部は、上述の傾いた直線状又は湾曲した曲線状に配置され得るが、そしてこれら直線状と曲線状の組み合わせの線状に配置されていてもよい。
【００２３】
また、例えば図５（ＩＩ）及び図５（ｉ−ｉ’）に示すように、該一の盛り上がり部の
高さは、フットパッド前側の前端部からフットパッド後側の後端部まで概ね順に低くなるように形成され得る。ここで一の盛り上がり部の高さとは、前述の「隆起部３の高さ」と同じ意味を表し、すなわち、土台部２の上面からの一の盛り上がり部の高さを言う。
例えば図５（ａ−ａ’）〜（ｄ−ｄ’）に示すように、一の盛り上がり部の高さ（ａ−ａ’線からｄ−ｄ’線における断面の高さ）は、概ね順に低くなるように形成され得る。
前記一の盛り上がり部の縦断面の幅は、例えば３ｍｍ〜３０ｍｍの間とすることができる。
【００２４】
また前記隆起部３は、例えば図５（ＩＩ）及び図５（ｉ−ｉ’）に示すように、略弓形状の横断面を有し得、この時、略弓形状の凹み部７の高さ、すなわち、土台部２の上面からの高さは、およそ３ｍｍ乃至７ｍｍで有り得る。
さらに前記隆起部３は、その前端より少し後方の左側部位及び右側部位の双方又はそれら部位の何れか一方にくびれ部８を有し得、例えば図６に示すように、隆起部３の左側部位及び右側部位の双方にくびれ部８を有し得る。くびれ部８における縦断面の幅は、例えば３ｍｍ〜２０ｍｍの間とすることができる
【００２５】
なおフットパッド１は、その裏面の前端部及び後端部に靴の中底に張り付けるための粘着フィルムを設けてもよい。粘着フィルムは、フットパッド１の裏面の一部（前端部及び後端部）だけではなく全面に設けられてもよい。
【００２６】
以上のように、本発明のフットパッド１は、隆起部をフットパッドの後端部中央もしくは後部中央から前記土台部の前後方向の中心線より足裏内側寄りに傾いた形状に親指と人差し指との間辺りに向けて配置させるという特徴的な構成を採用することにより、足の骨の形状をヒト本来の足の骨の形状に整えるだけでなく、親指と４本の指を引き寄せ握りながら歩くというヒト本来の正しい歩行動作を促し、正しく筋肉を使った歩行を実現できる。更にフットパッド１の材料として従来品より柔軟なエラストマーを用いたことにより、ヒールの高い靴を装用するときにおいても多くの人の様々な足の形状にうまく適応し、また靴のデザインが多様であっても、上述の効果を十分満足に得ることができる。
【実施例】
【００２７】
以下の例で本発明をより詳細に説明するが、これらの例は本発明をある特定の態様に制限することを意図しない。
以下の例に示される次の物性値は次の方法により求められた。
硬度：平滑な表面を有する厚さ８ｍｍの試験片に対してＪＩＳ  Ｋ６２５３に準じてタイプＡ又はＥデュロメータを用いて硬度（デュロメータＡ又はＥ硬さ）を測定した。
透過率：ＪＩＳ  Ｋ７１０５（測定法Ａ）に従い、積分球式光線透過率測定装置を用いて平行光線透過率を求めた。
【００２８】
［実施例１：フットパッド（１）］
本発明のフットパッド（１）の一例を図１及び図２に示す。また、該フットパッド（１）の斜視図を図７に示す。
本形態は、土台部２と８個のハート形状の点状盛り部３ａ〜３ｈからなる隆起部３とから構成されてなる。
上記８個のハート形状の点状盛り部３ａ〜３ｈは、間隔を置いて一列に並び、フットパッド１の後部５中央から、前記土台部２の前後方向の中心線より足裏内側寄りに傾いた湾曲した曲線状に、親指と人差し指との間辺りに向けて配置されている。
図１（Ｉ）及び（ＩＩ）に示すように、点状盛り部３ａと３ｂの間隔６ａは、同３ｂと３ｃの間隔６ｂ、同３ｃと３ｄの間隔６ｃ、同３ｄと３ｅの間隔６ｄ、同３ｅと３ｆの間隔６ｅ、同３ｆと３ｇの間隔６ｆ、及び同３ｇと３ｈの間隔６ｇよりも狭いものとなっている。
そして、図１（ＩＩ）に示すように、点状盛り部３ａ〜３ｈは、フットパッド１前側の先頭の点状盛り部３ａからフットパッド後側の後尾の点状盛り部３ｈまで、その高さ（ａ２〜ｈ２）が順に低く形成される。
【００２９】
［実施例２：フットパッド（２）］
本発明のフットパッド（２）の一例を図３に示す。
本形態は、実施例１のフットパッド（１）における８個のハート形状の点状盛り部に代えて、８個の略半球形状の点状盛り部３ａ〜３ｈとした形態である。その他の構成は実施例１と同様である。
【００３０】
［実施例３：フットパッド（３）］
本発明のフットパッド（３）の一例を図４に示す。
本形態は、実施例１のフットパッド（１）における８個のハート形状の点状盛り部に代えて、６個の半楕円形状の点状盛り部３ａ〜３ｆとした形態である。その他の構成は実施例１と同様である。
【００３１】
［実施例４：フットパッド（４）］
本発明のフットパッド（４）の一例を図５に示す。
本形態は、土台部２と堆くそして長く伸びた一の盛り上がり部からなる隆起部３とから構成されてなる。
上記一の盛り上がり部からなる隆起部３は、フットパッドの後部５中央から、前記土台部２の前後方向の中心線より足裏内側寄りに傾いた湾曲した曲線状に、親指と人差し指との間辺りに向けて配置されている。
図５（ＩＩ）に示すように、前記隆起部３は、略弓形状の横断面となるように凹み部７を有してなり、また、前記隆起部３を構成する該一の盛り上がり部の高さは、フットパッド前側の前端部からフットパッド後側の後端部まで概ね順に低くなっている。
なお、隆起部３以外の構成については、実施例１と同様である。
【００３２】
［実施例５：フットパッド（５）］
本発明のフットパッド（５）の一例を図６に示す。
本形態は、実施例４のフットパッド（４）における一の盛り上がり部からなる隆起部３の前端より少し後方の左側部位及び右側部位の双方にくびれ部８を有する形態である。
図６（Ｉ）及び（ＩＩ）に示すように、くびれ部８と凹み部７とは同じ位置に形成されてなる。
なお、隆起部３以外の構成については、実施例１と同様である。
【００３３】
［実施例６：実施例１のフットパッドの製造］
図１及び図２に示す通り、本発明の実施例１のフットパッド１（右足用）を以下のとおり製造した。
実施例１のフットパッド１は、硬度１０度の透明なＳＩＳ系エラストマーを用いて、土台部２の上面に、８個のハート形状の点状盛り部３（３ａ〜３ｈ）を土台部２と一体となるように形成した。
土台部２は、長さＬを１３２ｍｍ、幅Ｗを６９ｍｍ、厚さＴを１．５ｍｍとし、図１（ＩＩ）に示すように、土台部２の先端から先頭の点状盛り部３ａの中心までの土台部２の長さ２−１を１７．３ｍｍ、先頭の点状盛り部３ａの中心から最後尾の点状盛り部３ｈの中心までの土台部２の長さ２−２を９７．９ｍｍ、最後尾の点状盛り部３ｈの中心から土台部２の最後尾までの長さ２−３を１６．８ｍｍとした。
また８個のハート形状の点状盛り部３ａ〜３ｈは、図２（ａ−ａ’）〜（ｈ−ｈ’）に示すように、ａ−ａ’〜ｈ−ｈ’の切断線において、それぞれ以下の寸法となるように形成した。
３ａ：土台部の厚さａ１  １．５ｍｍ、点状盛り部高さａ２  ８．５ｍｍ、土台部の幅ａ３  ２１ｍｍ、点状盛り部幅ａ４  １６．６ｍｍ、土台部の幅ａ５  ２０．２ｍｍ
３ｂ：土台部の厚さｂ１  １．５ｍｍ、点状盛り部高さｂ２  ８．５ｍｍ、土台部の幅ｂ３  ２４．５ｍｍ、点状盛り部幅ｂ４  １６．５ｍｍ、土台部の幅ｂ５  ２３．９ｍｍ
３ｃ：土台部の厚さｃ１  １．５ｍｍ、点状盛り部高さｃ２  ８．５ｍｍ、土台部の幅ｃ３  １９．５ｍｍ、点状盛り部幅ｃ４  １６．５ｍｍ、土台部の幅ｃ５  ２１．８ｍｍ
３ｄ：土台部の厚さｄ１  １．５ｍｍ、点状盛り部高さｄ２  ７．７ｍｍ、土台部の幅ｄ３  １３．８ｍｍ、点状盛り部幅ｄ４  １３．１ｍｍ、土台部の幅ｄ５  １８．５ｍｍ
３ｅ：土台部の厚さｅ１  １．５ｍｍ、点状盛り部高さｅ２  ６．３ｍｍ、土台部の幅ｅ３  １１．８ｍｍ、点状盛り部幅ｅ４  １０．５ｍｍ、土台部の幅ｅ５  １６．８ｍｍ
３ｆ：土台部の厚さｆ１  １．５ｍｍ、点状盛り部高さｆ２  ４．７ｍｍ、土台部の幅ｆ３  １２．６ｍｍ、点状盛り部幅ｆ４  ８．５ｍｍ、土台部の幅ｆ５  １６．３ｍｍ
３ｇ：土台部の厚さｇ１  １．５ｍｍ、点状盛り部高さｇ２  ３．１ｍｍ、土台部の幅ｇ３  １４．３ｍｍ、点状盛り部幅ｇ４  ６．３ｍｍ、土台部の幅ｇ５  １１．１ｍｍ
３ｈ：土台部の厚さｈ１  １．５ｍｍ、点状盛り部高さｈ２  １．６ｍｍ、土台部の幅ｈ３  １６．０ｍｍ、点状盛り部幅ｈ４  ５．４ｍｍ、土台部の幅ｈ５  ４．４ｍｍ
点状盛り部３ａと３ｂの間隔６ａ：３．７ｍｍ
点状盛り部３ｂと３ｃの間隔６ｂ：５．５ｍｍ
点状盛り部３ｃと３ｄの間隔６ｃ：４．９ｍｍ
点状盛り部３ｄと３ｅの間隔６ｄ：４．９ｍｍ
点状盛り部３ｅと３ｆの間隔６ｅ：４．９ｍｍ
点状盛り部３ｆと３ｇの間隔６ｆ：４．９ｍｍ
点状盛り部３ｇと３ｈの間隔６ｇ：４．９ｍｍ
【００３４】
図１及び図２に示すフットパッド１をサンダルに装着したときの使用状態を示した図を図８に示す。
図８に示すように、本発明のフットパッド１は、ヒトの足裏のうち指に連なる爪先後部付近から土踏まずを経て踵前部付近まで、例えば足の骨格でいうところの第１中足骨ないし第５中足骨の骨頭に対応する部分から、楔状骨、立方骨、舟状骨を経て、距骨後端に対応する部分までの範囲を支持することができる。
【符号の説明】
【００３５】
１      フットパッド
２      土台部
３      隆起部
３ａ〜３ｈ  点状盛り部
４      フットパッド後端部
５      フットパッド後部
６（６ａ〜６ｇ）点状盛り部の間隔
７      凹み部
８      くびれ部
【図１】
2013162831.tif 000003
【図２】
2013162831.tif 000004
【図３】
2013162831.tif 000005
【図４】
2013162831.tif 000006
【図５】
2013162831.tif 000007
【図６】
2013162831.tif 000008
【図７】
2013162831.tif 000009
【図８】
2013162831.tif 000010